(57)【要約】【課題】  おみくじで引き当てた良運が招かれるという気持ちを具体的な物理的手段を介して意識させることが可能なおみくじを提供する。【解決手段】  おみくじ１０は、おみくじ包紙１３と、おみくじ包紙１３に包まれたおみくじ本体１４と、おみくじ包紙１３に包まれた貴石１５及び貴石１５の装飾具１７と、おみくじ包紙１３に包まれた貴石の説明書１８とを有し、貴石１５及び装飾具１７は、透明な袋１９内に貴石の説明書１８と共に収納されている。【選択図】        図１
0003111319.tif 000002
【実用新案登録請求の範囲】
【請求項１】
おみくじ包紙と、該おみくじ包紙に包まれたおみくじ本体と、前記おみくじ包紙に包まれた貴石及び該貴石の装飾具と、前記おみくじ包紙に包まれた前記貴石の説明書とを有することを特徴とするおみくじ。
【請求項２】
請求項１記載のおみくじにおいて、前記貴石は貫通孔を有する勾玉であって、前記装飾具は、該貫通孔に一端が取り付けられた紐を備えることを特徴とするおみくじ。
【請求項３】
請求項２記載のおみくじにおいて、前記貴石及び前記装飾具は、透明な袋内に前記貴石の説明書と共に収納されていることを特徴とするおみくじ。
【請求項４】
請求項１記載のおみくじにおいて、前記貴石は直径が８ｍｍ以上で１２ｍｍ以下の球形又は実質球形に加工され、前記装飾具は該貴石を窓部から露出する状態で保持する支持部材からなっていることを特徴とするおみくじ。
【請求項５】
請求項４記載のおみくじにおいて、前記支持部材は２つ折りされたシートからなって、該２つ折りされたシートの中央部に前記窓部が設けられていることを特徴とするおみくじ。
【請求項６】
請求項４及び５のいずれか１項に記載のおみくじにおいて、前記貴石及び前記支持部材は、透明の小袋に収納されていることを特徴とするおみくじ。
【考案の詳細な説明】
【技術分野】
【０００１】
本考案は、貴石、貴石の装飾具、及び貴石の説明書を有するおみくじに関する。
【背景技術】
【０００２】
従来、神社等で販売されているおみくじは、購入者の運勢を占った内容を記載している紙片で、購入者は一喜一憂して紙片の内容を読むものの、読み終わった後では、例えば、神社の境内に植えられた樹木の枝に結びつけて手放してしまうものである。このため、せっかく知り得た良運を記憶に留めることが困難となっている。そこで、おみくじに着脱可能なラッキーカラーシールを貼っておき、おみくじの購入者はおみくじの内容を読んだ後に、このラッキーカラーシールをおみくじから剥がして身の回りの物に貼り付けることにより、購入者に対して何かいいことが起きるのではないかという気分にさせるおみくじが提案されている（例えば、特許文献１参照）。
【０００３】
【特許文献１】特開２０００−１１６４９８号公報
【考案の開示】
【考案が解決しようとする課題】
【０００４】
しかしながら、特許文献１に記載されたラッキーカラーシールでは、何かいいことが起きるのではないかという気分にはさせるものの、おみくじで引き当てた具体的な良運が招かれるという気持ちをおみくじの購入者に持たせるという物理的手段としては無力であるという問題がある。更に、ラッキーカラーシールがおみくじに貼られておみくじと一体になっているので、おみくじに貼られた状態で樹木に結びつけられる可能性もあり、せっかくのラッキーカラーシールが利用されない可能性も否定できない。
【０００５】
本考案はかかる事情に鑑みてなされたもので、おみくじで引き当てた良運が招かれるという気持ちを具体的な物理的手段を介して意識させることが可能なおみくじを提供することを目的とする。
【課題を解決するための手段】
【０００６】
前記目的に沿う本考案に係るおみくじは、おみくじ包紙と、該おみくじ包紙に包まれたおみくじ本体と、前記おみくじ包紙に包まれた貴石（ガラス、合成樹脂、又は人工鉱物等からなるイミテーションを含む）及び該貴石の装飾具と、前記おみくじ包紙に包まれた前記貴石の説明書とを有する。
運気又は霊力と対応付けた貴石（宝石ともいう）をおみくじ本体とは別に設けることにより、貴石の存在を購入者に認識させることができると共に、おみくじ本体を手放しても貴石を手元に残すことができる。また、貴石の説明書があるので、購入者は貴石の効能を容易に知ることができる。
【０００７】
ここで、本考案に係るおみくじにおいて、前記貴石は貫通孔を有する勾玉であって、前記装飾具は、該貫通孔に一端が取付けられた紐を備えることもできる。紐を備えた勾玉にすることで、おみくじの購入者は貴石を装身具として容易に身につけることができる。
また、本考案に係るおみくじにおいて、前記貴石及び前記装飾具は、透明な袋内に前記貴石の説明書と共に収納されていることが好ましい。これによって、おみくじの購入者は、おみくじが、おみくじ本体と、貴石、装飾具、及び貴石の説明書からなる貴石部分から構成されていることに容易に気付くことができる。
【０００８】
本考案に係るおみくじにおいて、前記貴石は直径が８ｍｍ以上で１２ｍｍ以下の球形又は実質球形に加工され、前記装飾具は該貴石を窓部から露出する状態で保持する支持部材からなっていてもよい。
貴石を球形又は実質球形とすることで、取り扱い時の損傷を防止することができると共に、支持部材で貴石を保持する際に貴石の方向性を考慮する必要がなくなる。ここで、貴石の直径が８ｍｍ未満では、貴石が小さく取り扱いが困難になって好ましくない。一方、貴石の直径が１２ｍｍを超えると、おみくじ包紙で包み難くなると共におみくじの厚みが厚くなり過ぎて販売上好ましくない。
【０００９】
本考案に係るおみくじにおいて、前記支持部材は２つ折りされたシートからなって、該２つ折りされたシートの中央部に前記窓部が設けられていることが好ましい。これによって、球形の貴石を窓部から露出する状態で容易に保持することができる。
本考案に係るおみくじにおいて、前記貴石及び前記支持部材は、透明の小袋に収納されていることが好ましい。これによって、支持部材に保持された貴石を容易に視認することができると共に、貴石及び支持部材を一体的に保護することができる。
【考案の効果】
【００１０】
請求項１〜６記載のおみくじにおいては、おみくじ本体とは別に貴石を設けることによりおみくじ本体を手放しても貴石を手元に残すことができ、おみくじで引き当てた具体的な良運が招かれるという気持ちを、貴石を通して購入者に持たせることが可能になる。
【００１１】
特に、請求項２記載のおみくじにおいては、貴石が紐を備えた勾玉なのでおみくじの購入者は貴石を装身具として容易に身につけて視認することができ、良運が招かれるという気持ちを常に新たにすることが可能になる。
請求項３記載のおみくじにおいては、おみくじ内に貴石、装飾具、及び貴石の説明書が存在することに容易に気付くことができ、おみくじ本体と共に手放されることを防止することが可能になる。
【００１２】
請求項４記載のおみくじにおいては、貴石の損傷を防止すると共に取り扱いが便利となり、おみくじの製造を容易に行なうことが可能になる。
請求項５記載のおみくじにおいては、球形の貴石を窓部から露出する状態で保持できるので、おみくじの購入者は貴石を携帯することが容易になると共に貴石を外部から容易に視認することができ、良運が招かれるという気持ちを常に新たにすることが可能になる。
請求項６記載のおみくじにおいては、貴石及び支持部材を一体的に保護することができ、おみくじの購入者は長期に渡って貴石を携帯することが可能になる。
【考案を実施するための最良の形態】
【００１３】
続いて、添付した図面を参照しつつ、本考案を具体化した実施の形態につき説明し、本考案の理解に供する。
ここで、図１は本考案の第１の実施の形態に係るおみくじの正面図、図２（Ａ）及び（Ｂ）はそれぞれ同おみくじのおみくじ包紙の表面、裏面の説明図、図３は同おみくじ内に収納されているおみくじ本体の説明図、図４は同おみくじ内に収納されている勾玉、勾玉の装飾具、及び勾玉の説明書の状態を示す説明図、図５は同おみくじの勾玉及び勾玉の装飾具の説明図、図６は同おみくじの勾玉の説明書を示す説明図、図７は本考案の第２の実施の形態に係るおみくじの正面図、図８（Ａ）及び（Ｂ）は同おみくじのおみくじ包紙の表面及び裏面の説明図、図９（Ａ）及び（Ｂ）はそれぞれ同おみくじ内に収納されている貴石と支持部材の正面図、裏面図、（Ｃ）は貴石を保持する支持部材の展開図、図１０は同おみくじ内に収納されている貴石の説明書の説明図である。
【００１４】
図１、図２（Ａ）、（Ｂ）に示すように、本考案の第１の実施の形態に係るおみくじの一例である勾玉みくじ１０は、おみくじ包紙１３と、おみくじ包紙１３に包まれる図３に示すおみくじ本体１４と、おみくじ包紙１３におみくじ本体１４と共に包まれ貴石の一例である勾玉１５、勾玉１５に一端が取付けられた紐１６を備えた装飾具１７、及び勾玉の説明書１８を有している。なお、勾玉１５、装飾具１７、及び勾玉の説明書１８は透明な袋１９に収納されている。以下これらについて、詳細に説明する。
【００１５】
図２（Ａ）、（Ｂ）に示すように、おみくじ包紙１３は、例えば、全体が色刷り模様となっている表面２０と、全体が白色の裏面２１を有し、表面２０の中央部には色の異なる複数（図では２及び５個）の勾玉図形を組み合わせて形成される複数（図では２つ）の模様が描かれる図形記載部２２が設けられ、図形記載部２２の中央部には描かれた模様の上に「勾玉みくじ」という名称を記載する名称記載部２３が設けられている。また、裏面２１には、例えば、勾玉みくじ１０の説明を記載する説明文記載部２４と、勾玉１５の色に応じた効能（例えば、勾玉の色に対応した運気の種類、運気が隆昌する季節、運気が隆昌する方位、及び運気の具体的内容を示すご利益）を記載した効能記載部２５が設けられている。
【００１６】
ここで、説明文記載部２４には、例えば、「このおみくじには運気を向上させる五色の勾玉のいずれかが納められています。勾玉は太陽と月を表し、色は自然界の五つの気を意味します。宇宙のエネルギーと万物を生成変化させる気を授かり幸福へ導かれますよう祈願いたしました。大切に身に付けてご利益をお授かりください。」という説明文が記載されている。また、効能記載部２５には、勾玉の色、五気、季節、方位、及びご利益の関係を示す表が記載されている。その一例を表１に示す。
【００１７】
【表１】
0003111319.tif 000003
【００１８】
おみくじ本体１４は、図３に示すように、人生の吉凶運勢を短文形態で記載したもので、折り畳まれ封じられた状態でおみくじ包紙１３により包まれている。
図４、図５に示すように、勾玉１５は、効能記載部２５に記載された色に対応する各貴石の原石を加工して製造され、幅広側の先部には貫通孔２６が形成され、この貫通孔２６に紐１６の一端側を通過させてから結び合わせることにより、紐１６が勾玉１５に固定されている。なお、紐１６の種類を選択すると共に、紐１６の他端側の結び目形態を選択することで他端側に飾り部２７を形成することができ、これによって勾玉の装飾具１７を形成することができる。
【００１９】
ここで、勾玉の色と運気の対応では、運気として、木の気、火の気、土の気、金の気、水の気の五気を採用した場合、勾玉１５の色は五色必要となり、例えば、木の気を緑色のアマゾナイト（天河石）、火の気を赤色のレッドジャスパー（碧玉）、土の気を黄色のアラゴナイト（霰石）、金の気を白色のムーニストーン、水の気を紫色のアメジスト（紫水晶）、あるいは、これらに模したイミテーションを用いて勾玉を作製する。なお、イミテーションで勾玉１５を作製する場合は、ガラス又は硬質の合成樹脂に所定の着色剤を添加して基材を作製し、この基材から勾玉母材を削り出しその表面を研磨することにより行なう。
また、勾玉の説明書１８には、図４、図６に示すように、勾玉１５の色に対応した勾玉種類を記載する勾玉種類記載部２８と、その色の勾玉１５の効能を詳細に説明する効能説明部２９と、その勾玉１５のご利益内容を端的に示すご利益記載部３０が設けられている。
【００２０】
例えば、勾玉１５が緑色の場合、勾玉種類記載部２８には「緑色の勾玉」という語句、効能説明部２９には「緑色の勾玉は「木」の気を集積し、季節は草木の新芽がいっせいに芽吹く春、方位は東を意味します。空に向かってグングン生長する樹木にようなたくましい精神力を授けます。また緑色は安らぎの色といわれ、心身を癒し健康な体に導く気の流れをつくります。」という説明文、ご利益記載部３０には「開運厄除・心身健全」という語句がそれぞれ記載されている。
【００２１】
勾玉１５が赤色の場合、勾玉種類記載部２８には「赤色の勾玉」という語句、効能説明部２９には「赤色の勾玉は「火」の気を集積し、季節は太陽のエネルギーが最大になる夏、方位は南を意味します。熱く燃え盛る炎のようなエネルギッシュに満ちた活動力を授けます。また赤色は決断の色といわれ、勝負運を向上させ物事を発展させる気の流れをつくります。」という説明文、ご利益記載部３０には「勝運必勝・諸難消除」という語句がそれぞれ記載されている。
【００２２】
勾玉１５が黄色の場合、勾玉種類記載部２８には「黄色の勾玉」という語句、効能説明部２９には「黄色の勾玉は「土」の気を集積し、季節は気候風土が変化を始める四季の変わり目土用、方位は中央を意味します。実りを生み、豊かなものへと育む大地のようなやさしい包容力を授けます。また黄色は希望の色といわれ、気持ちを前向きし、万事を成功に導く気の流れをつくります。」という説明文、ご利益記載部３０には「心願成就・福徳円満」という語句がそれぞれ記載されている。
【００２３】
勾玉１５が白色の場合、勾玉種類記載部２８には「白色の勾玉」という語句、効能説明部２９には「白色の勾玉は「金」の気を集積し、季節は植物がまさに結実する秋、方位は西を意味します。地球のエネルギーが結晶した金や貴宝石のように人をひきつける優雅な魅力を授けます。また白色は浄化の色といわれ、純粋な心を引き出し人間関係を円滑に導く気の流れをつくります。」という説明文、ご利益記載部３０には「良縁成就・財運招来」という語句がそれぞれ記載されている。
【００２４】
勾玉１５が紫色の場合、勾玉種類記載部２８には「紫色の勾玉」という語句、効能説明部２９には「紫色の勾玉は「水」の気を集積し、季節は春に向けて力を蓄える冬、方位は北を意味します。乾いた大地を潤し、生命の源となる水のように精神を癒し、発展への原動力を授けます。また紫色は開拓の色といわれ、潜在意識を発揮し、才能を開花させる気の流れをつくります。」という説明文、ご利益記載部３０には「開運厄除・試験合格」という語句がそれぞれ記載されている。
なお、勾玉みくじ１０は、おみくじ本体１４と、透明な袋１９に収納された装飾具１７付きの勾玉１５及び勾玉の説明書１８とがおみくじ包紙１３に包まれ、更に、おみくじ包紙１３は透明収納袋１２に収納された状態となっている。
【００２５】
次に、本考案の第１の実施の形態に係る勾玉みくじ１０の使用方法について説明する。
引き当てた勾玉みくじ１０の透明収納袋１２を開封しておみくじ包紙１３を取り出す。そして、おみくじ包紙１３を開くことにより、おみくじ本体１４と、装飾具１７が取付けられた勾玉１５及び勾玉の説明書１８からなる勾玉部分を収納している透明な袋１９と、おみくじ包紙１３の裏面２１が現れる。そして、裏面２１の説明文記載部２４及び効能記載部２５の情報から、勾玉みくじ１０の利用方法を知ることができる。おみくじ本体１４は開封されて吉凶運勢の記載が読まれた後は、例えば、境内の樹木に結びつけられる。
一方、勾玉部分は透明な袋１９から取り出され、勾玉の説明書１８から引き当てた勾玉１５の効能が確認され、例えば、勾玉１５の装飾具１７を構成している紐１６を介して、例えば、財布、小物入れ、又はバッグ等の携帯品に取付けられる。これによって、おみくじで引き当てた具体的な良運が招かれるという気持ちを、勾玉１５を通して常時購入者に持たせることができる。
【００２６】
図７〜図９に示すように、本考案の第２の実施の形態に係るおみくじの一例である天然貴石入り開運みくじ３１は、おみくじ包紙３４と、おみくじ包紙３４に包まれる図３に示すおみくじ本体１４と、おみくじ包紙３４におみくじ本体１４と共に包まれる図９（Ａ）、（Ｂ）に示す貴石３５、貴石３５の装飾具の一例である支持部材４６、及び貴石の説明書３６を有している。以下これらについて、詳細に説明する。
【００２７】
図８（Ａ）、（Ｂ）に示すように、おみくじ包紙３４は、例えば、全体が色刷り模様となっている表面３７と、全体が白色の裏面３８を有し、表面３７の中央部には「天然貴石入り開運みくじ」という名称を記載する名称記載部３９が設けられている。また、裏面３８には、例えば、天然貴石入り開運みくじ３１の説明を記載する説明文記載部４０と、貴石３５の色に応じた効能（例えば、貴石の色に対応した霊力の種類及び霊力の具体的内容を示すご利益）を記載した効能記載部４１、及び貴石３５の用法等を記載したメッセージ記載部４２が設けられている。
【００２８】
ここで、説明文記載部４０には、例えば、「このおみくじには地球のエネルギーを結晶し、無限の霊力が宿るといわれる八種類の天然貴石のいずれかが納められています。」という説明文が記載され、効能記載部４１には、貴石３５とご利益の対応関係を示す、例えば、「クリスタル（水晶）・・・  開運厄除・福徳円満、ローズクウォーツ（紅水晶）・・・  恋愛成就・美貌成就、アマゾナイト（天河石）・・・  身体健全・運気隆昌、タイガーアイ（虎目石）・・・  勝運向上・厄難消除、オニキス（黒瑪瑙）・・・  諸願成就・技芸上達、レッドジャスパー（碧玉）・・・  健康長寿・自己進化、アラゴナイト（霰石）・・・  学業成就・社交良好、アメジスト（紫水晶）・・・  良縁達成・家庭円満」という語句が各貴石毎に分けて記載され、メッセージ記載部４２には、例えば、「御守として大切に身に付けてご利益をお授かりください。」というメッセージが記載されている。
【００２９】
貴石３５は、効能記載部４１に記載された色に対応する各貴石の原石を、例えば、直径が８〜１２ｍｍの球形（実質的に球形であってもよい）に加工して製造されたものである。支持部材４６は、２つ折りされるシート４４からなって、２つ折りされたシート４４の中央部には最大内寸法が貴石３５の直径より小さい多角形（図では八角形）状の窓部４５が設けられている。２つ折りされたシート４４に貴石３５を挟み貴石３５を両側から窓部４５の周縁で掛止して露出する状態で保持することができ、貴石３５と支持部材４６は透明の小袋４７に収納されている。
ここで、シート４４は折り目４８を挟んで第１、第２のシート片４９、５０から構成され、第１、第２のシート片４９、５０の表面（２つ折りされた際に表側になる面）には全面に色刷り模様が形成されている。そして、例えば、第１のシート片４９の中央部には、御守、開運、招運等のメッセージを記載するメッセージ記載部５１が設けられ、第２のシート片５０には、窓部４５を挟んで、一方には霊力の具体的内容を示すご利益記載部５２が、他方には貴石３５の種類を記載する貴石名称記載部５３が設けられている。
【００３０】
ここで、貴石３５の色と霊力の対応では、霊力として、例えば、開運厄除と福徳円満、恋愛成就と美貌成就、身体健全と運気隆昌、勝運向上と厄難消除、諸願成就と技芸上達、健康長寿と自己進化、学業成就と社交良好、良縁達成と家庭円満の八種類の霊力を採用した場合、貴石３５の色は八色必要となり、例えば、開運厄除と福徳円満の霊力を宿す貴石３５をクリスタル（水晶）、恋愛成就と美貌成就の霊力を宿す貴石３５をローズクウォーツ（紅水晶）、身体健全と運気隆昌の霊力を宿す貴石３５をアマゾナイト（天河石）、勝運向上と厄難消除の霊力を宿す貴石３５をタイガーアイ（虎目石）、諸願成就と技芸上達の霊力を宿す貴石３５をオニキス（黒瑪瑙）、健康長寿と自己進化の霊力を宿す貴石３５をレッドジャスパー（碧玉）、学業成就と社交良好の霊力を宿す貴石３５をアラゴナイト（霰石）、良縁達成と家庭円満の霊力を宿す貴石３５をアメジスト（紫水晶）を用いて作製する。
【００３１】
また、貴石の説明書３６には、図１０に示すように、貴石３５の色に対応した貴石種類を記載する貴石種類記載部５４と、その色の貴石３５の効能を詳細に説明する効能説明部５５が設けられている。
貴石の説明書３６には、例えば、貴石３５がクリスタル（水晶）の場合、貴石種類記載部５４には「クリスタル（水晶）」という語、効能説明部５５には「人や土地の因縁を浄化し、清め、幸福へと導くといわれています。さらに潜在能力を引き出し、真の才能を開花させる力を授けます。あなたの守護石として大切にお持ちください。」という説明文がそれぞれ記載されている。
貴石３５がローズクウォーツ（紅水晶）の場合、貴石種類記載部５４には「ローズクウォーツ（紅水晶）」という語、効能説明部５５には「美的感覚を高め、気品とやさしさあふれる魅力を引き出すといわれています。さらに良き出会いをもたらし、充実した未来へ導きます。あなたの守護石として大切にお持ちください。」という説明文がそれぞれ記載されている。
【００３２】
貴石３５がアマゾナイト（天河石）の場合、貴石種類記載部５４には「アマゾナイト（天河石）」という語、効能説明部５５には「体調を整え、不安や憂鬱を取り除き心身を健全に保つといわれています。さらに心の迷いを断ち、本来進むべき道へ導きます。あなたの守護石として大切にお持ちください。」という説明文がそれぞれ記載されている。
貴石３５がタイガーアイ（虎目石）の場合、貴石種類記載部５４には「タイガーアイ（虎目石）」という語、効能説明部５５には「直感力を強め、迫りくる災難を回避させるといわれています。さらに鋭い洞察力、正しい決断力を授け、万事を成功へ導きます。あなたの守護石として大切にお持ちください。」という説明文がそれぞれ記載されている。
【００３３】
貴石３５がオニキス（黒瑪瑙）の場合、貴石種類記載部５４には「オニキス（黒瑪瑙）」という語、効能説明部５５には「体内の機能や運動能力を向上させ、運動競技において良い結果をもたらすといわれています。さらに集中力と気力を引き出し、目的事を達成する力を授けます。あなたの守護石として大切にお持ちください。」という説明文がそれぞれ記載されている。
貴石３５がレッドジャスパー（碧玉）の場合、貴石種類記載部５４には「レッドジャスパー（碧玉）」という語、効能説明部５５には「疲労を回復し、細胞を活性化させ、活力を高めるといわれています。さらに勇気と行動力を呼び覚まし、新たな道へ踏み出す力を授けます。あなたの守護石として大切にお持ちください。」という説明文がそれぞれ記載されている。
【００３４】
貴石３５がアラゴナイト（霰石）の場合、貴石種類記載部５４には「アラゴナイト（霰石）」という語、効能説明部５５には「心に安定を安らぎをもたらし、人間関係を円滑に導くといわれています。さらに独創性を引き出し、新しい発想、企画を生み出す力を授けます。あなたの守護石として大切にお持ちください。」という説明文がそれぞれ記載されている。
貴石３５がアメジスト（紫水晶）の場合、貴石種類記載部５４には「アメジスト（紫水晶）」という語、効能説明部５５には「純粋な気持ちを引き立て、真実の愛へ導くといわれています。さらに愛情を豊かにし、大切な人との絆を、より強く結ぶ力を授けます。あなたの守護石として大切にお持ちください。」という説明文がそれぞれ記載されている。
なお、天然貴石入り開運みくじ３１は、おみくじ本体１４と、透明な小袋４７に収納された貴石３５、支持部材４６、及び貴石の説明書３６とがおみくじ包紙３４に包まれ、更に、おみくじ包紙３４は透明収納袋３３に収納された状態となっている。
【００３５】
次に、本考案の第２の実施の形態に係る天然貴石入り開運みくじ３１の使用方法について説明する。
引き当てた天然貴石入り開運みくじ３１の透明収納袋３３を開封しておみくじ包紙３４を取り出し、おみくじ包紙３４を開くことにより、おみくじ本体１４と、支持部材４６に保持された貴石３５と、貴石の説明書３６と、おみくじ包紙３４の裏面３８が現れる。そして、裏面３８の説明文記載部４０、効能記載部４１、及びメッセージ記載部４２の情報から、天然貴石入り開運みくじ３１の利用方法を知ることができる。おみくじ本体１４は開封されて吉凶運勢の記載が読まれた後は、例えば、境内の樹木に結びつけられる。
一方、貴石の説明書３６から引き当てた貴石３５の効能が確認され、貴石３５は支持部材４６に支持されて更に透明な小袋４７に収納された状態で、例えば、ポケットや、小物入れ及びバッグ等の携帯品内に収納される。そして、折にふれて貴石３５を視認することによって、おみくじで引き当てた具体的な霊力により良運が招かれるという気持ちを購入者に持たせることができる。
【００３６】
以上、本考案の実施の形態を説明したが、本考案は、この実施の形態に限定されるものではなく、考案の要旨を変更しない範囲での変更は可能であり、前記したそれぞれの実施の形態や変形例の一部又は全部を組み合わせて本考案のおみくじを構成する場合も本考案の権利範囲に含まれる。
例えば、勾玉みくじでは、運気として５種類を採用したが、２種以上で４種以下、又は６種以上とし、運気の種類に対応させて勾玉の色を変えることもできる。
天然貴石入り開運みくじでは、霊力として八種類を採用したが、２種以上で７種以下、又は９種以上とし、霊力の種類に対応させて貴石の色を変えることもできる。また、窓部の形状を八角形としたが、他の多角形とすることも、円形状とすることもできる。
【図面の簡単な説明】
【００３７】
【図１】本考案の第１の実施の形態に係るおみくじの正面図である。
【図２】（Ａ）及び（Ｂ）はそれぞれ同おみくじのおみくじ包紙の表面、裏面の説明図である。
【図３】同おみくじ内に収納されているおみくじ本体の説明図である。
【図４】同おみくじ内に収納されている勾玉、勾玉の装飾具、及び勾玉の説明書の状態を示す説明図である。
【図５】同おみくじの勾玉及び勾玉の装飾具の説明図である。
【図６】同おみくじの勾玉の説明書を示す説明図である。
【図７】本考案の第２の実施の形態に係るおみくじの正面図である。
【図８】（Ａ）及び（Ｂ）は同おみくじのおみくじ包紙の表面及び裏面の説明図である。
【図９】（Ａ）及び（Ｂ）はそれぞれ同おみくじ内に収納されている貴石と支持部材の正面図、裏面図、（Ｃ）は貴石を保持する支持部材の展開図である。
【図１０】同おみくじ内に収納されている貴石の説明書の説明図である。
【符号の説明】
【００３８】
１０：勾玉みくじ、１２：透明収納袋、１３：おみくじ包紙、１４：おみくじ本体、１５：勾玉、１６：紐、１７：装飾具、１８：勾玉の説明書、１９：透明な袋、２０：表面、２１：裏面、２２：図形記載部、２３：名称記載部、２４：説明文記載部、２５：効能記載部、２６：貫通孔、２７：飾り部、２８：勾玉種類記載部、２９：効能説明部、３０：ご利益記載部、３１：天然貴石入り開運みくじ、３３：透明収納袋、３４：おみくじ包紙、３５：貴石、３６：貴石の説明書、３７：表面、３８：裏面、３９：名称記載部、４０：説明文記載部、４１：効能記載部、４２：メッセージ記載部、４４：シート、４５：窓部、４６：支持部材、４７：透明の小袋、４８：折り目、４９：第１のシート片、５０：第２のシート片、５１：メッセージ記載部、５２：ご利益記載部、５３：貴石名称記載部、５４：貴石種類記載部、５５：効能説明部
【図１】
0003111319.tif 000004
【図２】
0003111319.tif 000005
【図３】
0003111319.tif 000006
【図４】
0003111319.tif 000007
【図５】
0003111319.tif 000008
【図６】
0003111319.tif 000009
【図７】
0003111319.tif 000010
【図８】
0003111319.tif 000011
【図９】
0003111319.tif 000012
【図１０】
0003111319.tif 000013